(57)【要約】【課題】  ハンガータイプの伸縮門扉の特徴を備えながら、門扉本体を伸ばしたときに先端側が垂れ下がることがなく、大きな間口に対応できる伸縮門扉の提供。【解決手段】  門扉本体１と、キャスター装置２とを備え、門扉本体は、複数の縦枠３，４，５と複数のリンク材６ａ，６ｂと複数の軸部材７とから形成したパンタグラフ機構により伸縮するものであり、キャスター装置２は、連動棒１０と、連動棒に連結したキャスター９とを有するとともに縦枠３に取付けてあり、連動棒１０は、リンク材６ａと係合しており、リンク材の上下動に伴い上下動するものであり、キャスター９は、門扉本体の全開時には上方に移動した位置にあり、門扉本体が伸びるにつれて下方に移動して接地することを特徴とする。【選択図】      図１
2006144243.tif 000002
【特許請求の範囲】
【請求項１】
門扉本体と、キャスター装置とを備え、門扉本体は、複数の縦枠と複数のリンク材と複数の軸部材とから形成したパンタグラフ機構により伸縮するものであり、キャスター装置は、連動棒と、連動棒に連結したキャスターとを有するとともに縦枠に取付けてあり、連動棒は、リンク材と係合しており、リンク材の上下動に伴い上下動するものであり、キャスターは、門扉本体の全開時には上方に移動した位置にあり、門扉本体が伸びるにつれて下方に移動して接地することを特徴とする伸縮門扉。
【請求項２】
キャスターは、門扉本体の全開時には縦枠の下端位置よりも上方に移動して縦枠内にあることを特徴とする請求項１記載の伸縮門扉。
【請求項３】
門扉本体と、キャスター装置とを備え、門扉本体は、複数の縦枠と複数のリンク材と複数の軸部材とから形成したパンタグラフ機構により伸縮するものであり、キャスター装置は、連動棒と、連動棒に連結したキャスターとを有し、軸部材は、リンク材同士を軸着するとともに門扉本体の伸縮により上下動するものであり、連動棒は、軸部材と係合しており、軸部材の上下動に伴い上下動するものであり、キャスターは、門扉本体の全開時には上方に移動した位置にあり、門扉本体が伸びるにつれて下方に移動して接地することを特徴とする伸縮門扉。
【請求項４】
キャスターは、門扉本体の全開時には縦枠の下端位置よりも上方に移動して門扉本体内にあることを特徴とする請求項３記載の伸縮門扉。
【請求項５】
門扉本体と、キャスター装置とを備え、門扉本体は、複数の縦枠と複数のリンク材と複数の軸部材とから形成したパンタグラフ機構により伸縮するものであり、キャスター装置は、連動板と、連動板に連結したキャスターとを有し、連動板は、湾曲状のガイド溝を有し、隣接する二つの縦枠のうちの一方の縦枠の見付け面にガイド溝を挿通した一方の軸により軸着してあり、他方の縦枠の見付け面に他方の軸により軸着したものであり、縦枠同士の間隔が狭まったときに、一方の軸がガイド溝内を他方の軸に近付く向きに移動するとともに、連動板が他方の軸を支点として上方に向けて回動するものであり、キャスターは、門扉本体の全開時には上方に移動した位置にあり、門扉本体が伸びるにつれて下方に移動して接地することを特徴とする伸縮門扉。
【請求項６】
キャスターは、門扉本体の全開時には縦枠の下端位置よりも上方に移動した位置にあることを特徴とする請求項５記載の伸縮門扉。
【発明の詳細な説明】
【技術分野】
【０００１】
本発明は、伸縮門扉に関するものである。
【背景技術】
【０００２】
伸縮門扉には、門扉本体の下部にキャスター装置を設けずに、一方の支柱に門扉本体を片持ち状に支持した、いわゆるハンガータイプと呼ばれる形態のものがある。ハンガータイプの伸縮門扉は、地面にキャスター装置の車輪を案内するレールを敷設する必要がなく、地面に凹凸や傾斜があってもそのまま設置できるので施工が簡単であり、また、キャスター装置からの抵抗を受けないことから、軽い力でスムーズに開閉できる利点がある。しかし、門扉本体はパンタグラフ機構により伸縮自在にしたものであって、リンク材の結合部等にクリアランスがあるために、門扉の間口が大きくなるにつれて門扉本体を伸ばしたときに先端側が垂れ下がるようになり、先頭の縦枠は不安定で且つ傾きが生じて戸当り支柱に当接せず、錠が掛かり難くなる。また門扉本体の先端側が垂れ下がると、門扉の開閉操作が重くなる。そのためハンガータイプの伸縮門扉は、大きな間口に対応するのが困難であった。
【０００３】
特許文献１には、キャスター装置付きの伸縮門扉において、門扉本体を伸ばしたときに転倒防止車輪が下降して地面に設けてある転倒防止用係合具に係合し、門扉本体を縮めると転倒防止用車輪が浮上するようにしたものが開示されている。転倒防止用車輪は、縦枠の下部に案内して地面の起伏に追従するように上下動自在に設けてあり、門扉本体を伸ばしたときには自重で下降し、門扉本体を縮めると、隣の縦枠の下部に取り付けた係合突起によって持ち上げられて浮上するものとなっている。この転倒防止用車輪は、門扉本体の転倒を防止するだけで、門扉本体の重量を支えられるものではないから、このような転倒防止用車輪をハンガータイプの伸縮門扉に使用した場合、荷重がかかったときに転倒防止用車輪が上方移動してしまい、門扉本体の垂れ下がりを防止できない。
【特許文献１】特開２００２−２９５１５５号公報
【発明の開示】
【発明が解決しようとする課題】
【０００４】
本発明は以上に述べた実情に鑑みてなされたものであって、ハンガータイプの伸縮門扉の特徴を備えながら、門扉本体を伸ばしたときに先端側が垂れ下がることがなく、大きな間口に対応できる伸縮門扉の提供を目的とする。
【課題を解決するための手段】
【０００５】
上記の課題を達成するために請求項１記載の発明による伸縮門扉は、門扉本体と、キャスター装置とを備え、門扉本体は、複数の縦枠と複数のリンク材と複数の軸部材とから形成したパンタグラフ機構により伸縮するものであり、キャスター装置は、連動棒と、連動棒に連結したキャスターとを有するとともに縦枠に取付けてあり、連動棒は、リンク材と係合しており、リンク材の上下動に伴い上下動するものであり、キャスターは、門扉本体の全開時には上方に移動した位置にあり、門扉本体が伸びるにつれて下方に移動して接地することを特徴とする。
【０００６】
請求項２記載の発明による伸縮門扉は、請求項１記載の発明の構成に加え、キャスターは、門扉本体の全開時には縦枠の下端位置よりも上方に移動して縦枠内にあることを特徴とする。
【０００７】
請求項３記載の発明による伸縮門扉は、門扉本体と、キャスター装置とを備え、門扉本体は、複数の縦枠と複数のリンク材と複数の軸部材とから形成したパンタグラフ機構により伸縮するものであり、キャスター装置は、連動棒と、連動棒に連結したキャスターとを有し、軸部材は、リンク材同士を軸着するとともに門扉本体の伸縮により上下動するものであり、連動棒は、軸部材と係合しており、軸部材の上下動に伴い上下動するものであり、キャスターは、門扉本体の全開時には上方に移動した位置にあり、門扉本体が伸びるにつれて下方に移動して接地することを特徴とする。
【０００８】
請求項４記載の発明による伸縮門扉は、請求項３記載の発明の構成に加え、キャスターは、門扉本体の全開時には縦枠の下端位置よりも上方に移動して門扉本体内にあることを特徴とする。
【０００９】
請求項５記載の発明による伸縮門扉は、門扉本体と、キャスター装置とを備え、門扉本体は、複数の縦枠と複数のリンク材と複数の軸部材とから形成したパンタグラフ機構により伸縮するものであり、キャスター装置は、連動板と、連動板に連結したキャスターとを有し、連動板は、湾曲状のガイド溝を有し、隣接する二つの縦枠のうちの一方の縦枠の見付け面にガイド溝を挿通した一方の軸により軸着してあり、他方の縦枠の見付け面に他方の軸により軸着したものであり、縦枠同士の間隔が狭まったときに、一方の軸がガイド溝内を他方の軸に近付く向きに移動するとともに、連動板が他方の軸を支点として上方に向けて回動するものであり、キャスターは、門扉本体の全開時には上方に移動した位置にあり、門扉本体が伸びるにつれて下方に移動して接地することを特徴とする。
【００１０】
請求項６記載の発明による伸縮門扉は、請求項５記載の発明の構成に加え、キャスターは、門扉本体の全開時には縦枠の下端位置よりも上方に移動した位置にあることを特徴とする。
【発明の効果】
【００１１】
請求項１記載の発明による伸縮門扉は、キャスター装置の連動棒をリンク材に係合したことで、門扉本体が伸縮するとリンク材の上下動に伴って連動棒に連結したキャスターが上下動し、門扉本体が伸びるにつれてキャスターが下方に移動して接地し、キャスター装置が門扉本体を下から支えるので、門扉本体の垂れ下がりを防止できる。よって、間口が大きい場合でも、錠が掛け難くなったり開閉操作が重くなったりするのを防止できる。また門扉本体の動作中にはキャスターが地面から離れるので、従来のハンガータイプの伸縮門扉と同様、施工場所を選ばずに簡単に施工できる。
【００１２】
さらに請求項２記載の発明による伸縮門扉は、請求項１と同様の効果を奏するとともに、門扉本体の全開時にキャスターが縦枠内に隠れて、キャスター装置の付いていない通常のハンガータイプの伸縮門扉と外観が同じになり、意匠性が良好となる。
【００１３】
請求項３記載の発明による伸縮門扉は、キャスター装置の連動棒を、リンク材同士を軸着している軸部材に係合したことで、門扉本体が伸縮すると軸部材の上下動に伴って連動棒に連結したキャスターが上下動し、門扉本体が伸びるにつれてキャスターが下方に移動して接地し、キャスター装置が門扉本体を下から支えるので、門扉本体の垂れ下がりを防止できる。よって、間口が大きい場合でも、錠が掛け難くなったり開閉操作が重くなったりするのを防止できる。また門扉本体の動作中にはキャスターが地面から離れるので、従来のハンガータイプの伸縮門扉と同様、施工場所を選ばずに簡単に施工できる。
【００１４】
さらに請求項４記載の発明による伸縮門扉は、請求項３と同様の効果を奏するとともに、門扉本体の全開時にキャスターが門扉本体から外に露出しないので、キャスター装置の付いていない通常のハンガータイプの伸縮門扉と外観が同じになり、意匠性が良好となる。
【００１５】
請求項５記載の発明による伸縮門扉は、キャスター装置の連動板が門扉本体の伸縮に連動して回動し、門扉本体が伸びるにつれてキャスターが下方に移動して接地し、キャスター装置が門扉本体を下から支えるので、門扉本体の垂れ下がりを防止できる。よって、間口が大きい場合でも、錠が掛け難くなったり開閉操作が重くなったりするのを防止できる。また門扉本体の動作中にはキャスターが地面から離れるので、従来のハンガータイプの伸縮門扉と同様、施工場所を選ばずに簡単に施工できる。またキャスター装置は、門扉本体の縦枠の見付け面に取付けるので、門扉本体に簡単に後付けできる。
【００１６】
さらに請求項６記載の発明による伸縮門扉は、請求項５と同様の効果を奏するとともに、門扉本体の全開時にキャスターが縦枠の下端位置よりも上方に移動した位置にあり、門扉本体の下方にキャスターが飛び出さないので、意匠性が向上する。
【発明を実施するための最良の形態】
【００１７】
以下、本発明の実施の形態を図面に基づいて説明する。図１から図６は、本発明の伸縮門扉の第一実施形態を示している。この伸縮門扉は、図６に示すように、左右に間隔をおいて地面４１から立設した吊元支柱１５及び戸当り支柱１６と、両支柱間に配設したパンタグラフ機構８により伸縮する門扉本体１とを備えている。
【００１８】
門扉本体１は、複数の中間縦枠５をパンタグラフ機構８に連結して備え、吊元側端部の中間縦枠５に吊元側端部縦枠４を、戸当り側端部の中間縦枠５に戸当り側端部縦枠３を金具１７でそれぞれ連結してあり、吊元側端部縦枠４をヒンジ１８で吊元支柱１５に取付けて支持されている。戸当り側端部縦枠３には開閉操作用の引手１９と、錠２０を取付けてある。中間縦枠５と両端部縦枠３，４は、図４に示すように、道路側と敷地側に間隔をおいて配置した２本の縦部材２１と、縦部材２１を上端部で連結する横部材２２とでコ字形に形成してあり、枠の内側にパンタグラフ機構８を配置している。パンタグラフ機構８は、手前側に位置し右下がりに傾斜したリンク材６ａと、奥側に位置し右上がりに傾斜したリンク材６ｂを交差状に多数備え、リンク材６ａ，６ｂの各交差部が軸部材７により相対回転自在に軸着してある。リンク材６ａ，６ｂの上端部に設けた軸部材７ａは、図５に示すように、両端部にローラー２３を取付けて中間縦枠５に上下動自在に案内してあり、リンク材６ａ，６ｂの下から３番目の高さの交差部に設けてある軸部材７ｂは、中間縦枠５に固定してある。
【００１９】
戸当り側端部縦枠３の内部には、キャスター装置２を取付けてある。キャスター装置２は、図４と図５に示すように、戸当り側端部縦枠３の内側に上下方向に配置した断面コ字形の連動棒１０と、連動棒１０の下端部に連結したキャスター取付具２４と、キャスター取付具２４の下面に取付けたキャスター９とを有している。連動棒１０は、図１に示すように、上端部が、一番上のリンク材６ａの上端部を隣の中間縦枠５に連結している軸部材７ａに、係合金具２５で連結してある。係合金具２５は、図３に示すように、軸部材７ａを上下から挟んで保持する二部材で構成してある。キャスター取付具２４は、上部に連動棒１０の内側に嵌り込む連結部２６を有し、連結部２６に連動棒１０の下端部をボルト２７と裏板２８で固定してある。このボルトを通す孔は、図３に示すように上下方向の長孔２９になっており、キャスター取付具２４及びキャスター９の高さを長孔２９の範囲で上下に調整できる。また図５に示すように、キャスター取付具２４の前後面にはローラー３０が取付けてあり、ローラー３０が戸当り側端部縦枠３に上下動自在に案内してある。
【００２０】
図１に示すように、門扉本体１を伸ばして門扉を閉じたときには、キャスター装置２のキャスター９が地面４１に接地しており、キャスター装置２の連動棒１０がリンク材６ａの上端部に軸部材７ａと係合金具２５を介して連結してあるのでキャスター９が上方移動することがなく、キャスター装置２が門扉本体１の戸当り側端部を下から持ち上げるような形となって、門扉本体１の戸当り側の垂れ下がりが抑えられる。戸当り側端部縦枠３は、キャスター９が接地していることで安定し、傾きも抑えられるため、錠２０が掛かり難くなったり、門扉本体１の開閉操作が重くなったりするのを防止できる。キャスター９は、高さ調整可能となっているので、施工現場の土間の凹凸や傾斜等に合わせてキャスター９の高さを適宜調整することにより、門扉本体１の垂れ下がりを防止する等の効果を最大限に発揮させることができる。
門扉本体１を縮めてゆくと、中間縦枠５同士の間隔が一様に狭まり、各リンク材６ａ，６ｂは中間縦枠５に固定した軸部材７ｂを支点として傾きが急になる方向に回動し、リンク材６ａの上端部に設けた軸部材７ａは上方に移動する。これに伴ってキャスター装置２も上方に移動し、図２と図４に示すように、門扉本体１の全開時には、キャスター９が戸当り側端部縦枠３の下端位置よりも高い位置まで上昇して該縦枠３の枠内の空間Ａ（道路側の縦部材２１と敷地側の縦部材２１とに挟まれた空間）に収納される。そのため、門扉を全開にしたときの外観は、キャスター装置のない通常のハンガータイプの伸縮門扉と同じになる。またキャスター９は、門扉本体１を全閉に近い状態まで閉じたときだけ接地するので、開閉操作を軽く行うことができるし、また、地面に凹凸や傾斜があってもそのまま設置することができ、施工が容易である。
【００２１】
図７から図１０は、本発明の伸縮門扉の第二実施形態を示している。門扉本体１の構造は第一実施形態と同じであるが、キャスター装置２を設ける場所が異なっている。本実施形態では、図７に示すように、戸当り側の端にある中間縦枠５とその隣の中間縦枠５の間にキャスター装置２を設けている。キャスター装置２は、図９に示すように、２本の角パイプ状の連動棒１０を前後方向に間隔をおいて備え、両連動棒の下端部をキャスター取付具２４で連結し、キャスター取付具２４にキャスター９を取付けてある。キャスター９は、第一実施形態のものと同じように、キャスター取付具２４を長孔２９の範囲で上下に移動させることにより、高さ調整できる。連動棒１０は、上端部に貫通孔３１を、下部に上下方向の長孔３２を形成してあり、図９と図１０に示すように、リンク材６ａ，６ｂの上から２番目の高さの交差部においてリンク材同士を軸着している軸部材７ｃを連動棒１０の貫通孔３１に挿通し、その下方に位置し、リンク材６ａ，６ｂの下から２番目の高さの交差部においてリンク材同士を軸着している軸部材７ｄを、連動棒１０の長孔３２に挿通して取付けてある。リンク材６ａ，６ｂと連動棒１０の間及び連動棒１０同士の間にはスペーサー３３を設置し、連動棒１０が前後に移動したり、傾いたりすることがないようにしている。
【００２２】
門扉本体１を伸ばすと上側の軸部材７ｃは下降し、門扉本体１を縮めると同軸部材７ｃは上昇するから、これに伴ってキャスター装置２も上下動することになる。そして門扉本体１を全閉状態としたときには、図７に示すようにキャスター装置２のキャスター９が接地して門扉本体１の垂れ下がりが抑えられ、門扉本体１を全開状態としたときには、図８と図９に示すように、キャスター９は中間縦枠５の下端位置よりも上方に移動し、門扉本体１内の、中間縦枠５の道路側の縦部材２１と敷地側の縦部材２１とに挟まれた空間Ａ内に収納される。
【００２３】
図１１と図１２は、本発明の伸縮門扉の第三実施形態を示している。門扉本体１の構造は第一実施形態と同じであるが、キャスター装置２の構造、その設ける位置が異なっている。キャスター装置２は、連動板１１と、連動板１１の下端に連結したキャスター９とを有し、戸当り側の端にある中間縦枠５と、端から二番目の中間縦枠５の前側と後側の見付け面３４の下部に、連動板１１を跨って取付けてある。連動板１１は、その上下方向の中間部より吊元側に延びる上向きに湾曲した略半円弧状のアーム部３５を有しており、アーム部３５の根元部から先端部にかけて湾曲状のガイド溝１２を形成してある。連動板１１の上部には貫通孔３６が設けてあり、戸当り側端の中間縦枠５の下部に前後方向に貫通して設けた両ねじボルト１４を該貫通孔３６に挿通し、両側からナット３７で締め付けている。端から二番目の中間縦枠５の下部にも両ねじボルト１３を前後方向に貫通して設けてあり、この両ねじボルト１３を連動板１１のガイド溝１２に挿通している。縦枠見付け面３４と連動板１１の間、連動板１１とナット３７の間には、スペーサー４２を設けてある。連動板１１の下端部は、前後に直角に折り曲げてキャスター取付部３８を設け、キャスター９から突出したボルト３９をキャスター取付部３８に挿通して上下からナット４０で固定してあり、キャスター９は高さ調整可能となっている。
【００２４】
門扉本体１を伸ばすと、中間縦枠５同士の間隔が広がって、二番目の中間縦枠５の両ねじボルト１３がガイド溝１２をアーム部３５の根元側から先端側に向けて移動するから、連動板１１が戸当り側端の中間縦枠５の両ねじボルト１４を支点として下向きに回動し、反対に門扉本体１を縮めたときには、二番目の中間縦枠５の両ねじボルト１３がガイド溝１２の根元側に移動するから、連動板１１が戸当り側端の中間縦枠５の両ねじボルト１４を支点として上向きに回動する。そして、門扉本体１を全閉状態にしたときには、図１１に示すように、二番目の中間縦枠５の両ねじボルト１３がガイド溝１２の先端部に位置し、キャスター９が地面４１に接地し、これにより門扉本体１の戸当り側の垂れ下がりが抑えられる。門扉本体１を全開状態にしたときには、図１１の二点鎖線で示すようにキャスター装置２が上向きに９０°回転し、キャスター９が縦枠３，５の下端位置よりも上方まで移動する。このため、門扉本体を正面から見た場合にキャスターが門扉本体より下に飛び出さないので、キャスターを目立たなくすることができる。
【００２５】
本発明は以上に述べた実施形態に限定されない。キャスター装置は、なるべく門扉本体の戸当り側端部に設けるのが効果的であるが、それより幾分吊元側に移動した位置に設けてもよい。
【図面の簡単な説明】
【００２６】
【図１】本発明の伸縮門扉の第一実施形態を示す正面図であって、門扉を閉じた状態での戸当り側を示している。
【図２】本発明の伸縮門扉の第一実施形態を示す正面図であって、門扉を全開にしたときの門扉本体の戸当り側端部を示している。
【図３】連動棒とリンク材との連結部、及び連動棒とキャスターとの連結部の構造を示す正面図である。
【図４】第一実施形態に係る門扉を全開にしたときの、門扉本体の戸当り側の側面図である。
【図５】図１におけるＡ−Ａ断面図である。
【図６】本発明の伸縮門扉の第一実施形態を示す全体正面図である。
【図７】本発明の伸縮門扉の第二実施形態を示す正面図であって、門扉を閉じた状態での戸当り側を示している。
【図８】本発明の伸縮門扉の第二実施形態を示す正面図であって、門扉を全開にしたときの門扉本体の戸当り側端部を示している。
【図９】第二実施形態に係る門扉を全開にしたときの、門扉本体の戸当り側の側面図である。
【図１０】図７におけるＢ−Ｂ断面図である。
【図１１】本発明の伸縮門扉の第三実施形態を示す正面図であって、門扉を閉じた状態での戸当り側の下部を拡大して示している
【図１２】図１１におけるＣ−Ｃ断面図である。
【符号の説明】
【００２７】
１  門扉本体
２  キャスター装置
３  戸当り側端部縦枠（縦枠）
４  吊元側端部縦枠（縦枠）
５  中間縦枠（縦枠）
６ａ，６ｂ  リンク材
７，７ａ，７ｂ，７ｃ，７ｄ  軸部材
８  パンタグラフ機構
９  キャスター
１０  連動棒
１１  連動板
１２  ガイド溝
１３  両ねじボルト（一方の軸）
１４  両ねじボルト（他方の軸）
３４  縦枠見付け面
【図１】
2006144243.tif 000003
【図２】
2006144243.tif 000004
【図３】
2006144243.tif 000005
【図４】
2006144243.tif 000006
【図５】
2006144243.tif 000007
【図６】
2006144243.tif 000008
【図７】
2006144243.tif 000009
【図８】
2006144243.tif 000010
【図９】
2006144243.tif 000011
【図１０】
2006144243.tif 000012
【図１１】
2006144243.tif 000013
【図１２】
2006144243.tif 000014